(57)【要約】【課題】  巻紙にキズを残すことなく、紙を円滑に必要量引出すことのできる紙巻器を提供することを可能にする。【解決手段】  紙巻器１０は、壁１１に紙巻器基部１２をねじ２９、３１で固定し、巻紙１３を支える支軸１４と、巻紙１３を上から抑えると共に適宜の長さに切断することのできる蓋１５と、支軸動作窓２５の両側に備えた支軸ばねケース２６、２７と、この支軸ばねケース２６、２７の中にあり支軸１４を支軸動作窓２５内で動かすばね３７、３８とからなる構成である。なお、蓋１５は巻紙１３を抑える下蓋１６と、この下蓋１６より突出するとともに先端に巻紙１３を切断するための刃部１７を備えた上蓋１８との二枚蓋構造であり、下蓋基部３２に下部ギヤ３３を備え、この下部ギヤ３３に噛み合う上部ギヤ３４を上蓋基部３５に備え、これらの下部ギヤ３３及び上部ギヤ３４を紙巻器基部１２に上下動可能に取付けた側板３６に回転可能に取付け、上蓋１８を上方へスイングさせたときに下蓋１６が上部・下部ギヤ３４、３３の作用で下方へスイングするように構成した。【選択図】      図２
2005230095.tif 000002
【特許請求の範囲】
【請求項１】
壁に固定する紙巻器基部に、巻紙を支える支軸を取付け、この支軸で支えた巻紙を上から抑えると共に適宜の長さに切断することのできる蓋を前記紙巻器基部に備えた紙巻器において、
前記蓋は、巻紙を抑える下蓋と、この下蓋より突出するとともに先端に巻紙を切断するための刃部を備えた上蓋との二枚蓋構造とし、
前記下蓋の基部に下部ギヤを一体的に設け、この下部ギヤに噛み合う上部ギヤを前記上蓋の基部に一体的に設け、上部ギヤ及び下部ギヤを、前記紙巻器基部に上下動可能に取付けた側板に回転可能に取付け、上蓋を上方へスイングさせたときに下蓋が上部・下部ギヤの作用で下方へスイングするようにしたことを特徴とする巻紙器。
【請求項２】
前記側板を回転可能に支える軸と紙巻器基部との間に、前記蓋を下方へ移動させるときには側板の回転を許容するが、前記蓋を上方へ移動させときにはラチェット爪の解除が必要となるラチェット機構を介在させたことを特徴とする請求項１記載の紙巻器。
【請求項３】
前記側板を回転可能に支える軸と紙巻器基部との間に、前記蓋を下方へ移動させるときには側板の回転を許容するが、前記蓋を上方へ移動させときにはラチェット爪の解除が必要となるラチェット機構を介在させると共に、巻紙を引上げる程度の力では蓋側軸の回転を制限するがそれを超える一定以上の力では蓋側軸の回転を許容する制動機構を介在させたことを特徴とする請求項１記載の紙巻器。
【発明の詳細な説明】
【技術分野】
【０００１】
本発明は、トイレットぺーパーに代表される巻紙を支える紙巻器に関するものである。
【背景技術】
【０００２】
水洗式トイレの普及に伴って、水溶性の巻紙が使用され、この巻紙を支える紙巻器（ペーパーホルダーとも呼ばれる。）が、トイレルームの壁に常備される様になってきた。
【０００３】
紙巻器は、壁に固定する紙巻器ケースに、巻紙を支える支軸及び上下スイング可能に蓋を取付け、この蓋を巻紙の上に載せる構造が広く採用されている。
トイレ利用者は、一方の手で巻紙を必要長さ引き出し、他方の手で蓋を押え、この蓋の先端で巻紙を切断する如くに両手で巻紙及び紙巻器を操作する。
【０００４】
しかし、片手が不自由であるトイレ利用者が、従来の紙巻器を利用しようとすると、蓋が宙に浮いて巻紙が切断できないという不都合が発生する。
そこで、片手のみで操作可能な紙巻器が求められ、この要望に応える提案がなされている。（例えば、特許文献１）。
【特許文献１】実公平６−３６７９８号公報（第２頁、図１、２）
【０００５】
特許文献１を次図に基づいて説明する。
図１０は従来の技術の基本構成を説明する図であり、ペーパーホルダー１００は、支持枠１０１を介して図示しない壁に固定し、側板１０２から延びる支軸１０３に取付けたスポンジなどの弾性材でできた突起１０４を介してロール状ペーパー１０５を固定する。
側板１０２の上部は、蓋１０６とその蓋１０６の先端に連なるカッター１０７を備える。また、支軸１０３の外側には回転アーム１０８を備え、その回転アーム１０８の下部にばね１０９、回転アーム１０８の外側にピニオン１１０を備える。１１１はピニオン１１０と噛み合うラチェットで、１１２は支軸１０３と回転アーム１０８を連結する取付け穴である。
【０００６】
図１１は図１０の作用を示す図である。
（ａ）は図１０の１１ａ矢視図であり、蓋１０６の先端のカッター１０７を矢印Ａの如く押すと、ロール状ペーパー１０５が矢印Ｂの如くばね１０９を押下げようとする。このとき、回転アーム１０８、ピニオン１１０は下向きに移動しようとする。
【０００７】
（ｂ）は紙を引出すときの作用図であり、（ａ）図の結果、ピニオン１１０が一つの歯分だけ左回転し、歯ａの隣りの歯ｂとラチェット１１１が噛み合う。その結果、紙は矢印Ｃ方向に一つの歯の長さ分だけ引出される。
【０００８】
しかし、特許文献１の紙巻器は、紙を引出す際にカッター１０７の先端を巻紙に押し当てる必要があり、これを繰返すことで巻紙の上部に凹んだキズを付けることになる。
また、１回の操作で、紙をピニオン１１０の一歯分のみ引出すために、紙を必要量取出す際は、何回もの操作を繰返す必要がある。
【発明の開示】
【発明が解決しようとする課題】
【０００９】
本発明は、巻紙にキズを残すことなく、紙を円滑に必要量引出すことのできる紙巻器を提供することを課題とする。
【課題を解決するための手段】
【００１０】
請求項１に係る発明は、壁に固定する紙巻器基部に、巻紙を支える支軸を取付け、この支軸で支えた巻紙を上から抑えると共に適宜の長さに切断することのできる蓋を紙巻器基部に備えた紙巻器において、
蓋は、巻紙を抑える下蓋と、この下蓋より突出するとともに先端に巻紙を切断するための刃部を備えた上蓋との二枚蓋構造とし、
下蓋の基部に下部ギヤを一体的に設け、この下部ギヤに噛み合う上部ギヤを上蓋の基部に一体的に設け、上部ギヤ及び下部ギヤを、紙巻器基部に上下動可能に取付けた側板に回転可能に取付け、上蓋を上方へスイングさせたときに下蓋が上部・下部ギヤの作用で下方へスイングするようにしたことを特徴とする。
【００１１】
請求項２に係る発明は、側板を回転可能に支える軸と紙巻器基部との間に、蓋を下方へ移動させるときには側板の回転を許容するが、蓋を上方へ移動させときにはラチェット爪の解除が必要となるラチェット機構を介在させたことを特徴とする。
【００１２】
請求項３に係る発明は、側板を回転可能に支える軸と紙巻器基部との間に、蓋を下方へ移動させるときには側板の回転を許容するが、蓋を上方へ移動させときにはラチェット爪の解除が必要となるラチェット機構を介在させると共に、巻紙を引上げる程度の力では蓋側軸の回転を制限するがそれを超える一定以上の力では蓋側軸の回転を許容する制動機構を介在させたことを特徴とする。
【発明の効果】
【００１３】
請求項１に係る発明では、蓋を二枚蓋構造とし、下蓋の基部に下部ギヤを設け、この下部ギヤに噛み合う上部ギヤを下蓋より長く突出して先端に刃部を備えた上蓋の基部に一体的に設け、これらの上部ギヤ及び下部ギヤを紙巻器基部に上下動可能に取付けた側板に回転可能に取付けた。
このため、巻紙の先端部は、引出す際に優先的に上蓋の刃部に接触し、上蓋を上方向に移動させると上部ギヤの回転に伴って下部ギヤが逆方向に回転し下蓋を下方向に動かせる。巻紙の先端部は、下蓋の下方向への動きに伴い下蓋の腹部で巻紙の上部を押え巻紙を固定することで引張り易く、刃部で切断し易くなる。
【００１４】
以上のように、紙巻器は、蓋を二枚蓋構造とし、二枚の蓋の基部に各々上部ギヤと下部ギヤを設けたので上蓋と下蓋が反対方向へ円滑に動き、巻紙にキズを残すことなく巻紙の先端部を容易に切断できるという利点がある。
【００１５】
請求項２に係る発明では、側板を回転可能に支える軸と紙巻器基部との間に、下蓋を下方へ移動させるときには側板の回転を許容するが、下蓋を上方へ移動させるときにはラチェット爪の解除が必要となるラチェット機構を介在させた。
紙巻器は、ラチェット機構を介在させたので、上蓋を上方向に移動させる際に、ラチェット機構で蓋全体が上部へ回転するのを規制するので、下蓋の腹部で巻紙の上部を押え巻紙を固定する動作を確実に行うことができ、巻紙の切断性が向上する。
【００１６】
請求項３に係る発明では、一方向で作用するラチェット機構と蓋側軸の回転を制御する制動機構とを兼ね備えたので、これらラチェット機構と制動機構とを個別に配置した場合、入手容易及び／又は安価なラチェット機構と制動機構とを選択的に採用することができ、設計の自由度を高めることもできる。
一方、ラチェット機構と制動機構とを一個の容器に一括収納した場合は、全体構成のコンパクト化を図ることができる。
【発明を実施するための最良の形態】
【００１７】
本発明を実施するための最良の形態を添付図に基づいて以下に説明する。
図１は本発明に係る紙巻器の斜視図であり、紙巻器１０は、壁１１に紙巻器基部１２を固定し、巻紙１３を支える支軸１４を取付け、この支軸１４で支えた巻紙１３を上から抑えると共に適宜の長さに切断することのできる蓋１５を紙巻器基部１２に備えた基本構成である。
【００１８】
蓋１５は、巻紙１３を抑える下蓋１６と、この下蓋１６より突出するとともに先端に巻紙１３を切断するための刃部１７を備えた上蓋１８との二枚蓋構造である。
基部横板１９には、蓋１５の動作に介在するラチェット機構２０を備えた。ラチェット機構２０は、ラチェット軸２１に取付けたラチェット爪２２と、このラチェット爪２２に噛み合うラチェットギヤ軸２３に取付けたラチェットギヤ２４とからなる。
なお、２５は支軸動作窓、２６、２７は支軸ばねケースである。
【００１９】
ラチェット機構２０は、下蓋１６を下方へ移動させるときにはラチェットギヤ軸２３に結合した側板（図示せず。基部横板１９の内側に備わる部品なので後述する。）の上下動を許容し、下蓋１６及び上蓋１８の動作を支持するが、蓋１５を元に戻すために下蓋１６を上方へ移動させるときにはラチェット爪２２の解除を必要とする機構である。
【００２０】
図２は本発明に係る紙巻器の断面図であり、紙巻器１０は、壁１１に紙巻器基部１２をねじ２９、３１で固定し、巻紙１３を支える支軸１４と、巻紙１３を上から抑えると共に適宜の長さに切断することのできる蓋１５と、支軸動作窓２５の両側に備えた支軸ばねケース２６、２７と、この支軸ばねケース２６、２７の中にあり支軸１４を支軸動作窓２５内で動かすばね３７、３８とからなる構成である。
【００２１】
なお、蓋１５は巻紙１３を抑える下蓋１６と、この下蓋１６より突出するとともに先端に巻紙１３を切断するための刃部１７を備えた上蓋１８との二枚蓋構造であり、下蓋基部３２に下部ギヤ３３を備え、この下部ギヤ３３に噛み合う上部ギヤ３４を上蓋基部３５に備え、これらの下部ギヤ３３及び上部ギヤ３４を紙巻器基部１２に上下動可能に取付けた側板３６に回転可能に取付け、上蓋１８を上方へスイングさせたときに下蓋１６が上部・下部ギヤ３４、３３の作用で下方へスイングするように構成した。
【００２２】
３９は支軸１４に支えられる巻胴、４１は下蓋先端、４２は基部上面、４３、４４、４５、４６は支軸ばねケース２６、２７を固定するねじである。
【００２３】
図３は本発明の紙巻器の支軸に巻紙を仮取付けする過程の作用図である。
（ａ）は紙巻器１０において、巻紙１３の上面部５１を支軸１４の下面部５２に当て、
矢印Ｄの如く巻紙１３を支軸１４を跳ね上げるように上方へ持上げる初期段階を示す。
【００２４】
（ｂ）は巻紙１３により支軸１４が上方へ跳ね上げられ、巻紙１３の上面部５１と下蓋１６の距離が近づいた状態を示す。
巻胴３９の上部に支軸上部５３が若干引っ掛かっており、巻紙１３はまだセットできない。さらに矢印Ｅのように上方に巻紙１３を動かす。
【００２５】
（ｃ）は巻紙１３により支軸１４を元の位置に戻し、巻紙１３を仮にセットした状態を示す。
巻胴３９の下部に支軸１４の下面部５２を接触させると、巻紙１３の上面部５１と下蓋１６の距離は、図３（ｂ）の上面部５１と下蓋１６の距離より短くなる。続いて、巻紙１３を正式に取付けるためには、矢印Ｆの如く巻紙１３を下げ、支軸１４の上面部５４と巻胴３９の上部を接触させるようにする。
【００２６】
図４は支軸に取付けた巻紙から巻紙の先端部を切取る過程の作用図である。
（ａ）は紙巻器１０に巻紙１３を正式に取付けた状態を示し、支軸１４の上面部５４と巻胴３９の上部が接触し、巻紙１３を安定に保持させる。
このとき、巻紙１３の上面部５１と下蓋１６の距離Ｇは、図３（ｂ）の上面部５１と下蓋１６の距離より長くなる。
【００２７】
（ｂ）は巻紙１３から先端部５５を引出す作用を示す。
巻紙１３の先端部５５を引出す手順は、巻紙１３の先端部５５を矢印Ｈの如く上蓋１８の刃部１７と接触させながら上方へ引出すと、ラチェットギヤ２４が矢印Ｊの如く右回転し、それに連動して側板３６が動き、上部ギヤ３４が右回転、下部ギヤ３３が左回転し、上蓋１８を矢印Ｍの如く上方へ、下蓋１６を矢印Ｎの如く下方へ動かす。
【００２８】
（ｃ）は巻紙１３の先端部５５を切取る作用を示す。
図４（ｂ）のように下蓋１６と上蓋１８を上下に動かすと、下蓋１６の下面部５６で巻紙１３の上面部５１を抑える。続いて、巻紙１３の先端部５５は、下蓋１６の下蓋先端４１に接触しながら（下蓋先端４１は巻紙１３と接触しない。）、刃部１７で切取られた紙５７として矢印Ｐ方向へ切取られ、残りの先端部５５を矢印Ｑの如く下方向へ落す。
【００２９】
以上のように、紙巻器１０は、蓋１５を二枚蓋構造とし、下蓋１６の下蓋基部３２と、上蓋１８の上蓋基部３５に各々下部ギヤ３３と上部ギヤ３４とを設けたので、下蓋１６と上蓋１８が反対方向へ円滑に動き、巻紙１３の先端部５５を容易に切断できる。
【００３０】
合わせて、このような二枚蓋構造は、下蓋１６の下面部５６で巻紙１３の上面部５１を抑えながら巻紙１３の先端部５５を切取ることができるので、巻紙１３にキズを残すことなく、巻紙１３の交換及び切取りを実行することができる。
【００３１】
さらに、紙巻器１０は、ラチェット機構２０を介在させたので、上蓋１８を上方向に移動させる際に、ラチェット機構２０で蓋１５の全体が上部へ回転するのを規制するので、下蓋１６の腹部で巻紙１３の上部を押え巻紙１３を固定する動作を確実に行うことができ、巻紙１３の切断性が向上する。
【００３２】
図５は図１の別実施例図であり、今までの実施例と共通する要素は符号を流用する。この紙巻器６０は、紙巻器基部１２の基板横板１９に、巻紙１３を支える支軸１４と、巻紙１３を切断するための刃部１７を備えた上蓋１８及び巻紙１３を押える下蓋１６よりなる二枚の蓋１５とを取付けた紙巻器である。なお、６１は図示しないラチェット機構と制動機構を内蔵したケースである。
この紙巻器６０の要部を以下に詳細に説明する。
【００３３】
図６は蓋、一方向で作用するラチェット機構及び制動機構の配置図であり、蓋１５の上蓋１８の基部（図右端）に蓋軸６２を固定し、この蓋軸６２の途中に上部ギヤ３４を備え、この蓋軸６２の他端を側板３６に回転可能に取付け、一方、下蓋１６の基部（図右端）に蓋軸６３を固定し、この蓋軸６３の途中に下部ギヤ３３を備え、他端を側板３６に回転可能に取付け、この側板３６の軸６４に制動機構としてのロータリダンパ６５を連結し、このロータリダンパ６５から延ばした軸６６にラチェットギヤ６７を連結し、このラチェットギヤ６７にラチェット爪６８を噛み合わせるようにした。
なお、上部ギヤ３４と下部ギヤ３３は噛み合って配置される。
【００３４】
ラチェットギヤ６７とラチェット爪６８とトーションばね６９とを組み合わせたものをラチェット機構７０とし、このラチェット機構７０は一方向クラッチ機構の好ましい一形態である。
【００３５】
図７はロータリダンパの原理図であり、ロータリダンパ６５は、軸６４に直結する摩擦板７１と、この摩擦板７１を収納するダンパケース７２と、このダンパケース７２に充填したグリースなどの高粘度物質７３とからなり、軸６４に作用するトルクが一定値未満であれば、ダンパケース７２と摩擦板７１との摩擦力が勝って、ダンパケース７２が軸６４と一体的に回転する。又は、ダンパケース７２が固定されていれば、軸６４は回転不能となる。この作用を制動作用という。
なお、軸６４に作用するトルクが一定値以上であれば、ダンパケース７２と摩擦板７１との間で滑りが発生する。
【００３６】
ところで、図６に示したとおりに、制動機構としてのロータリダンパ６５と、ラチェット機構７０とを直列に配置した。ロータリダンパ６５とラチェット機構７０は、個々には入手容易であり、安価である。したがって、適当な形式の部品を調達することができ、配置の自由度も高い。しかし、コンパクトに配置することは難しい。この点を改良した発明を次に説明する。
【００３７】
図８は本発明に係る制動機構付きラチェット機構の原理図であり、制動機構付きラチェット機構８０は、軸８１に例えば二条のＯリング８２を嵌め、これらのＯリング８２、８２にラチェットギヤ６７を嵌め、このラチェットギヤ６７にラチェット爪６８を噛み合わせ、これらの軸８１、Ｏリング８２、８２、ラチェットギヤ６７及びラチェット爪６８を一括してケース６１に収納し、リッド８３を被せたことを特徴とする。
【００３８】
制動機構とラチェット機構とが、ケース６１に一括して納められているため、紙巻器ケースに取付けが容易である。ケース６１に一括収納したので、部品を紛失する虞もない。
【００３９】
図９は図８の９−９線断面図であり、軸６４、Ｏリング８２、ラチェットギヤ６７及びラチェット爪６８を一括してケース６１に収納し、ラチェット爪６８をトーションばね６９で、ロック方向へ付勢するようにしたことを示す。
【００４０】
Ｏリング８２は合成ゴムで構成するために、表面の摩擦係数は金属に比較して格段に高い。また、Ｏリング８２は、所定の力で圧縮した状態で軸８１に嵌めると共に、ラチェットギヤ６７に嵌める。そのため、軸８１に一定値未満のトルクが作用しても、ラチェットギヤ６７が静止している場合には、軸８１は回らない。トルクが一定値以上になると、ラチェットギヤ６７が静止していても、軸８１は回転する。
【００４１】
以上、図５〜９では、一方向で作用するラチェット機構と蓋側軸の回転を制御する制動機構とを兼ね備えたので、これらラチェット機構と制動機構とを個別に配置した場合、入手容易及び／又は安価なラチェット機構と制動機構とを選択的に採用することができ、設計の自由度を高めることもできる。
一方、ラチェット機構と制動機構とを一個の容器に一括収納した場合は、全体構成のコンパクト化を図ることができる。
【００４２】
尚、本発明の紙巻器１０の２枚の蓋１５は、基本的に先端に刃部１７の付いた上蓋１８の方が下蓋１６より長く、下蓋１６の下面部５６が巻紙１３の上面部５１に接触したときに下蓋先端４１が巻紙に接触しない構造であれば、細かな形状を問わない。
【００４３】
また、蓋１５の上蓋１８及び下蓋１６の材質は、上蓋１８に刃部１７を加工できるものであれば、樹脂、ステンレス鋼、アルミニウム、黄銅など自由に選ぶことができる。
【００４４】
さらに、本発明では一定値未満のトルクが作用したときには結合状態を維持し、トルクが一定値以上になったらスリップすることで非結合状態になる制動機構は、ロータリダンパ６５及びＯリング８２を要素としたものを説明したが、その他、二枚の円板と一方の円板を他方の円板に付勢するばねで構成したトルクリミッタや滑りクラッチでもよく、同一作用を発揮するものであれば、形式、構造は任意に選択可能である。
【産業上の利用可能性】
【００４５】
本発明の  紙巻器は、トイレットペーパーやキッチンペーパーなどの巻紙の紙巻器として利用するのに好適である。
【図面の簡単な説明】
【００４６】
【図１】本発明に係る紙巻器の斜視図である。
【図２】本発明に係る紙巻器の断面図である。
【図３】本発明の紙巻器の支軸に巻紙を仮取付けする過程の作用図である。
【図４】支軸に取付けた巻紙から巻紙の先端部を切取る過程の作用図である。
【図５】図１の別実施例図である。
【図６】蓋、一方向で作用するラチェット機構及び制動機構の配置図である。
【図７】ロータリダンパの原理図である。
【図８】本発明に係る制動機構付きラチェット機構の原理図である。
【図９】図８の９−９線断面図である。
【図１０】従来の技術の基本構成を説明する図である。
【図１１】図１０の作用を示す図である。
【符号の説明】
【００４７】
１０…紙巻器  、１２…紙巻器基部  、１３…巻紙  、１４…支軸  、１５…蓋  、１６…下蓋  、１７…刃部  、１８…上蓋  、２０…ラチェット機構  、３２…下蓋基部  、３３…下部ギヤ  、３４…上部ギヤ  、３５…上蓋基部  、３６…側板  、４１…下蓋先端、６５…ロータリダンパ  、  ７０…ラチェット機構  、  ８０…制動機構付きラチェット機構。
【図１】
2005230095.tif 000003
【図２】
2005230095.tif 000004
【図３】
2005230095.tif 000005
【図４】
2005230095.tif 000006
【図５】
2005230095.tif 000007
【図６】
2005230095.tif 000008
【図７】
2005230095.tif 000009
【図８】
2005230095.tif 000010
【図９】
2005230095.tif 000011
【図１０】
2005230095.tif 000012
【図１１】
2005230095.tif 000013